(57)【要約】      （修正有）【課題】電池の消耗状態などによって、無線通信中に通信が途絶しない撮影装置を提供する。【解決手段】撮像装置（デジタルカメラ１０）は、少なくとも1台以上の無線通信端末と無線通信を行う第一の無線通信手段１１８と、非接触無線通信を行う第二の無線通信手段１１９と、前記第一の無線通信手段に関連する第一の情報または前記第一の情報と異なる第二の情報を保持し、第二の無線通信手段の情報記憶部と、バッテリと、前記第一の無線通信手段を用いて送受信するコンテンツ情報を記憶するコンテンツ記憶部と、前記第一の無線通信手段と通信する通信端末数をカウントするカウント部と、前記コンテンツ記憶部の情報量と、前記バッテリの残量と、前記第一の無線通信手段の通信状態と、を監視する状態監視部と、前記第一の無線通信手段で通信を行う許可端末数を決定するために参照するテーブルデータを保持しているテーブル記憶部と、を備える。【選択図】図１（Ａ）
2017069880.tif 000002
【特許請求の範囲】
【請求項１】
少なくとも1台以上の無線通信端末と無線通信を行う第一の無線通信手段と、
非接触無線通信を行う第二の無線通信手段と、
前記第一の無線通信手段に関連する第一の情報、または、前記第一の情報と異なる第二の情報、を保持し、前記第二の無線通信手段に含まれる第二の無線通信手段の情報記憶部と、
バッテリと、
コンテンツ情報を記憶するコンテンツ記憶部と、
前記第一の無線通信手段と通信を行っている無線通信端末数をカウントするカウント部と、
前記コンテンツ記憶部の情報量と、前記バッテリの残量と、前記第一の無線通信手段の通信状態と、を監視する状態監視部と、
装置全体の制御を行う制御部と、
前記第一の無線通信手段で通信を行う許可端末数を決定するために参照するテーブルデータを保持しているテーブル記憶部と、
を備えた撮影装置において、
前記制御部は、前記状態監視部が取得した状態から、前記テーブル記憶部の保持する前記テーブルデータに基づいて前記第一の無線通信手段で接続を許可する許可端末数を決定し、
前記制御部は、前記許可端末数と前記カウント部のカウント値を比較した比較結果を演算し、
前記比較結果に応じて、前記制御部は、前記第二の無線通信手段の情報記憶部を前記第一の情報、または、前記第二の情報を保持するよう制御することを特徴とする撮影装置。
【請求項２】
前記制御部は、前記許可端末数と前記カウント部のカウント値を比較した比較結果を演算し、
前記比較結果から、無線通信を行う無線通信端末数に余裕があると判定した場合、
前記制御部は、前記第二の無線通信手段の情報記憶部を前記第一の情報を保持するように制御し、
前記比較結果から、無線通信を行う無線通信端末数に余裕がないと判定した場合、
前記制御部は、前記第二の無線通信手段の情報記憶部を前記第二の情報を保持するように制御することを特徴とする請求項１に記載の撮影装置。
【請求項３】
外部機器から電力を受電可能なインターフェースと、
前記インターフェースに接続された事を検出し、接続された外部機器が電力供給可能な機器か否かを判定する電源判定手段と、
前記インターフェースを介して受電した電力を前記バッテリに充電しつつ、該撮影装置に給電を行える充電部と、を備えていて、
前記インターフェースに外部機器が接続され、
前記電源判定手段が、前記外部機器を電力供給可能な機器と判定した場合に、前記テーブル記憶部の保持するテーブルデータに基づいて、前記許可端末数を決定することを特徴おとする請求項１又は請求項２に記載の撮影装置。
【請求項４】
少なくとも1台以上の無線通信端末と無線通信を行う第一の無線通信手段と、
非接触無線通信を行う第二の無線通信手段と、
前記第一の無線通信手段に関連する第一の情報、または、前記第一の情報と異なる第二の情報、を保持する第二の無線通信手段の情報記憶部と、
前記第一の無線通信手段と通信を行っている無線通信端末数をカウントするカウント部と、
装置全体の制御を行う制御部と、
を備えた撮影装置において、
前記制御部は、前記カウント部のカウント値が所定値に達しているか否かを判定し、
前記判定の結果に応じて、前記制御部は、前記第二の無線通信手段の情報記憶部を前記第一の情報、または、前記第二の情報を保持するよう制御することを特徴とする撮影装置。
【発明の詳細な説明】
【技術分野】
【０００１】
本発明は、撮影装置に関し、特に非接触無線通信機能と無線通信機能を備えた撮影装置に関する。
【背景技術】
【０００２】
近年、携帯電話端末を始め、デジタルカメラ、デジタルビデオカメラなどのポータブルデバイス分野を中心に、無線通信機能を備えた機器が普及してきている。
【０００３】
特に、無線通信の方式として、IEEE(The Institute of Electrical and Electronics Engineers, Inc.)で規定されたIEEE802.11の無線LAN(Local Area Network) をはじめとする、１０ｍを超える範囲で使用可能な中距離の無線通信を備えた機器の普及が進んでいる。加えて、ISO/IEC14443やISO/IEC18092にて標準化されているNFC(Near Field Communication) のように１０ｃｍ以内の距離で使用可能な非接触無線通信を備えた機器についても普及が進んでいる。
【０００４】
これらをはじめとする、無線通信機能を備えた機器の普及に伴い、無線通信を使用して機器同士で通信を行い、画像、映像を含むコンテンツを共有する使用方法が広く知られている。
【０００５】
機器同士で無線通信を行う事で、ケーブルなどの追加の機器を使用する事無く、直接コンテンツを送受信できる環境が整ってきている。
【０００６】
しかしながら、機器同士の無線通信を利用するには、それぞれの機器で無線通信を行うための設定をユーザが施す事を必要とし、通信相手機器の選択、暗号化のパスワードの入力といった操作が発生し、この操作が煩雑である、という問題があった。また、これらの操作は、接続する相手の機器が変われば、接続する相手に応じて入力する必要がある。
【０００７】
この操作を簡略化するために、無線通信の暗号化を施さずに通信を行う事が挙げられるが、暗号化パスワードの入力が省略されるため、接続の操作が容易となるが、通信内容を容易に盗聴可能であり、セキュリティの問題があった。
【０００８】
下記の特許文献１では、機器間でトランスポンダを用いた非接触通信を行って無線LANの設定情報を伝達する技術が公開されている。この技術を用いる事で、通信する機器の選択や暗号化パスワードなどの設定情報の入力を省く事ができ、利便良く無線LANの接続を行う事が可能である。
【先行技術文献】
【特許文献】
【０００９】
【特許文献１】特開2006−287767号公報
【発明の概要】
【発明が解決しようとする課題】
【００１０】
しかしながら、一般的に、NFCをはじめとする非接触通信に比べて、無線LANなどの中距離の無線通信は多くの電力を要する。そのため、機器の有するバッテリの残量が少ない状態において、非接触通信は可能だが、無線通信にはバッテリ残量が不十分となる事がある。この場合には、非接触通信で無線通信に用いる接続情報を伝達しても、無線通信で思うように通信が行えない事がある。
【００１１】
また、無線通信を行える機器同士で、複数の機器と同時に無線通信している場合、1対1での通信に比べて全てのデータの転送が完了するまで時間を要し、無線通信が行えない残量にまでバッテリ残量事が低下してしまう事がある。バッテリの残量に加えて、無線通信の転送レート、データ量、同時に接続している機器の数によって、無線通信のデータ転送が完了する前にバッテリ残量が不足してしまうと、通信を完了できない、という問題がある。
【００１２】
本発明は、かかる従来の課題に鑑みてなされたものであり、無線LANのような無線通信中に通信が途絶する事を低減する撮影装置を提供することを目的とする。
【課題を解決するための手段】
【００１３】
上記の目的を達成するために、本発明に係る撮影装置は、
少なくとも1台以上の無線通信端末と無線通信を行う第一の無線通信手段と、
非接触無線通信を行う第二の無線通信手段と、
前記第一の無線通信手段に関連する第一の情報、または、前記第一の情報と異なる第二の情報、を保持し、前記第二の無線通信手段に含まれる第二の無線通信手段の情報記憶部と、
バッテリと、
前記第一の無線通信手段を用いて送受信するコンテンツ情報を記憶するコンテンツ記憶部と、
前記第一の無線通信手段と通信を行っている無線通信端末数をカウントするカウント部と、
前記コンテンツ記憶部の情報量と、前記バッテリの残量と、前記第一の無線通信手段の通信状態と、を監視する状態監視部と、
装置全体の制御を行う制御部と、
前記第一の無線通信手段で通信を行う許可端末数を決定するために参照するテーブルデータを保持しているテーブル記憶部と、
を備えた撮影装置において、
前記制御部は、前記状態監視部が取得した状態から、前記テーブル記憶部の保持する前記テーブルデータに基づいて前記第一の無線通信手段で接続を許可する許可端末数を決定し、
前記制御部は、前記許可端末数と前記カウント部のカウント値を比較した比較結果を演算し、
前記比較結果に応じて、前記制御部は、前記第二の無線通信手段の情報記憶部を前記第一の情報、または、前記第二の情報を保持するよう制御することを特徴とする。
【発明の効果】
【００１４】
本発明によれば、自装置内のバッテリの残量、転送データ量、接続機器数に応じて、非接触通信を介して無線通信の設定情報を提供するか否かと接続可能台数を決定し、安定した状態で無線通信を行う事が可能となる。これにより、電池残量など自装置の状態に応じて、現在の接続機器数が、許容できる機器数以下の時に、すなわち、安定して無線通信を行える状態の時に、無線通信に接続する事ができる撮影装置を提供することができる。
【図面の簡単な説明】
【００１５】
【図１（Ａ）】本発明の実施形態によるデジタルカメラ１０の構成例を示すブロック図である。
【図１（Ｂ）】本発明の実施形態によるデジタルカメラ１０の無線通信に関する部分の構成を示すブロック図である。
【図２】本発明の実施形態によるデジタルカメラ１０の状態に応じて無線部の接続台数の制限を行う台数を補正するためのテーブルデータの一例を示す表である。
【図３】本発明のデジタルカメラ１０の非接触無線部を介して対向機と無線部に接続する場合の制御処理の一例のフローチャートを示す図である。
【発明を実施するための形態】
【００１６】
以下に、本発明の好ましい実施の形態を、添付の図面に基づいて詳細に説明する。
【実施例１】
【００１７】
図１は本実施形態によるデジタルカメラ１０の構成例を示すブロック図である。図１（Ａ）は本実施形態のデジタルカメラ１０の全体の構成を示すブロック図であり、図１（Ｂ）は本実施形態のデジタルカメラ１０の無線通信に関する部分の構成を詳細に示すブロック図である。
【００１８】
図１（Ａ）において、１０１は撮影レンズ、１０２はシャッターである。１０３は光学像を電気信号に変換するＣＣＤセンサ等の撮像部である。１０４は画像処理部であり、撮像部１０３の出力信号のアナログ信号処理を行う、相関二重サンプリング部、所望の増幅度に設定可能なプログラマブル・ゲイン・アンプ部、アナログデジタルコンバータ部で構成されている。１０５は、撮像部１０３、画像処理部１０４を、それぞれ動作させる信号を発生するタイミング信号発生部である。１０６は、撮影レンズ１０１、シャッター１０２を、それぞれ動作させる撮像光学系駆動部である。
【００１９】
１０７は、デジタルカメラ１０全体を制御する、システム制御部である。画像処理部１０４からの画像信号は、システム制御部１０７を介して、メモリ１０８に書き込まれる。メモリ１０８は、撮像部１０３によって得られ画像処理部１０４によりデジタルデータに変換された画像データや、表示部１０９に表示するための画像データを格納する。メモリ１０８は、所定枚数の静止画像や所定時間の動画像および音声を格納するのに十分な記憶容量を備えている。また、メモリ１０８はデジタルカメラ１０の動作プログラム、各種補正データを記憶可能な不揮発メモリと、画像表示用のメモリ（ビデオメモリ）を兼ねている。システム制御部１０７は、メモリ１０８に格納されている画像表示用のデータに、必要に応じ所定のデータを重畳し、表示部１０９に供給する。こうして、メモリ１０８に書き込まれた表示用の画像データは、液晶ディスプレイ等の表示器である表示部１０９により表示される。
【００２０】
外部メモリ制御部１１０は画像データを格納する外部メモリ１１１を制御する制御部であり、外部メモリ１１１はこのデジタルカメラ１０から着脱可能である。
【００２１】
ＵＳＢインターフェース部１１２は、不図示のUSBケーブルを接続する事で、USBケーブルを介してデジタルカメラ１０と外部機器が通信を行うためのインターフェースである。
【００２２】
バッテリ１１３はこのデジタルカメラ１０の電源となる電池であり、例えばニッカド電池、ニッケル水素電池、リチウムイオン電池などといった充電可能である二次電池が用いられる。電源制御部１１４は、バッテリ１１３から受け取った電力をデジタルカメラ１０の各部に所定の電圧に変換し、電力を供給する電源である。なお、電源制御部１１４は、バッテリ１１３を充電するための充電機能を備えていても良い。
【００２３】
ＵＳＢインターフェース部１１２は、USBケーブルを介して外部機器が接続された事を、システム制御部１０７へ通知でき、通知に応じて、デジタルカメラ１０は外部機器と通信を開始する。
【００２４】
システム制御部１０７はＵＳＢインターフェース部１１２に接続された外部機器と通信を行う事に加え、外部機器が電力供給に対応しているか否かを判定し、電力供給が可能な機器である場合に、電源制御部１１４へ電力を供給可能である。なお、電源制御部１１４がバッテリ１１３を充電する充電機能を備えていれば、外部機器から供給される電力がデジタルカメラ１０の消費電力を上回る場合に、外部機器から供給されるバッテリ１１３の充電に使用しても良い。
【００２５】
レリーズボタン１１５、操作部１１６は、システム制御部１０７に各種の動作指示を入力するための操作手段である。レリーズボタン１１５からの操作途中、いわゆる半押し（撮影準備指示）信号で、システム制御部１０７は、ＡＦ（オートフォーカス）処理、ＡＥ（自動露出）処理、ＡＷＢ（オートホワイトバランス）処理等の動作を開始する。レリーズボタン１１５からの操作完了、いわゆる全押し（撮影指示）信号で、システム制御部１０７は、撮像部１０３からの信号読み出しから、メモリ１０８、あるいは、外部メモリ制御部１１０を介して外部メモリ１１１に画像データを書き込むまでの一連の撮影処理、いわゆる静止画撮影の動作を開始する。
【００２６】
電源スイッチ１１７は、デジタルカメラ１０の電源をオン・オフするためのスイッチであり、電源スイッチ１１７を操作された事を電源制御部１１４とシステム制御部１０７が受け取り、デジタルカメラの各部の動作を開始、停止の指示を行う。
【００２７】
無線LAN部１１８は、送受信アンテナを含み、デジタルカメラ１０と中距離の無線通信である無線LAN通信の不図示の相手機器(以降、対向機と呼称する)との間で、大容量データの転送に利用可能な高速無線通信機能を持つ通信部である。
【００２８】
無線LAN部１１８は、例えば、IEEE802.11に従った無線通信を示すが、これ以外の技術の無線通信規格によって代替する事も可能であり、Bluetooth（登録商標）、UWB(Ultra Wide Band)のような無線通信規格に準拠した通信機能を用いでも良い。なお、無線LAN部１１８は対向機と１対１の無線LAN通信だけでなく、複数の対向機と１対多の無線LAN通信を行っても良い。
【００２９】
非接触無線部１１９は、デジタルカメラ１０と対向機との間で、非接触通信を行うための通信部であり、例えば、UART(Universal Asynchronous Receiver Transmitter)などの通信I/Fを介してシステム制御部１０７と接続される。非接触無線部１１９は、アンテナとしてのコイル 、電波インターフェース、不揮発性メモリ等を含んで構成される。例えば、デジタルカメラ１０の非接触通信部１１９は、RFIDやNFCを始めとする機器同士が数cm以内に近接している状態で対向機と通信が可能である。なお、非接触無線部１１９は、トランスポンダであっても、リーダーライターとして動作可能であっても良い。
【００３０】
バッテリ残量検出部１２０は、バッテリ１１３の残量を検出し、システム制御部１０７へ通知可能な検出部である。例えば、現在のバッテリの電圧値、デジタルカメラ１０の消費電流量から、バッテリ残量を検出する。なお、バッテリ残量検出部１２０は一定間隔でバッテリ１１３の残量を監視してシステム制御部１０７へ通知したり、デジタルカメラ１０の各部の動作状態、動作負荷の変化に応じて、システム制御部１０７がバッテリ１１３の残量を問い合わせたりしても良い。
【００３１】
図１（Ｂ）において、無線LAN部１１８の通信IF１１８aは、無線LAN部１１８で送受信するデータをシステム制御部１０７と通信するインターフェース部である。通信IF１１８aとシステム制御部１０７間のデータの送受信は、例えば、UART(Universal Asynchronous Receiver Transmitter)、USB(Universal Serial Bus)などの通信規格に準拠した通信により行われる。
【００３２】
変復調IF１１８bは、通信IF１１８aとの間で送受信する信号に、変調を加え、無線LAN部１１８のアンテナ１１８ｃより無線LAN通信の電波を入出力するための電波のインターフェース部である。例えば、IEEE802.11gに準拠した無線LAN通信を行う場合、変復調IF１１８bは、OFDM（直交周波数分割多重方式）変調方式で、無線LAN通信を行う信号を変復調し、搬送波に重畳してアンテナ１１８ｃ間と入出力を行う。アンテナ１１８ｃは、無線LAN通信で、対向機と電波の送受信を行うためのアンテナである。例えば、IEEE802.11gに準拠した無線LAN通信を行う場合、2.4GHz帯の周波数帯に適したアンテナを選択すれば良い。
【００３３】
非接触無線部１１９の通信IF１１９aは、非接触通信で送受信するデータをシステム制御部１０７と通信するインターフェース部である。通信IF１１９aとシステム制御部１０７間のデータの送受信は、前述の通り、例えば、UART(Universal Asynchronous Receiver Transmitter)などの通信により行われる。
【００３４】
非接触無線部１１９のEEPROM１１９ｂは、非接触通信による通信内容を記憶しておく記憶部である。なお、EEPROM１１９ｂは、EEPROM以外の不揮発性メモリを使用しても良い。非接触通信の受信が行われた場合、EEPROM１１９ｂに受信した内容を保持し、システム制御部１０７は通信IF１１９aを介して非接触通信の受信内容をEEPROM１１９ｂから読み取る。
【００３５】
対向機へ非接触通信の送信を行う場合に、システム制御部１０７は通信IF１１９aを介して非接触通信で送信する情報をEEPROM１１９ｂへ書き込む。
【００３６】
アンテナ１１９ｄは対向機と非接触通信を行うためのアンテナである。
【００３７】
変復調IF１１９ｃは、アンテナ１１９ｄを介して対向機と非接触通信を行うための変復調部であり、非接触通信の変調、復調を行い、アンテナ１１９ｄとの間で変調信号の入出力を行う。送信時にはEEPROM１１９ｂの情報を変調して、アンテナ１１９ｄの端子に変調信号を印加して送信を行い、受信時にはアンテナ１１９ｄの端子の変調信号を読み取って復調し、EEPROM１１９ｂへ受信した情報を書き込む事で受信を行う。変復調IF１１９ｃは、非接触通信が行われた場合に、メモリ１１９ｂや通信IF１１９aへ非接触通信が行われた事を通知し、システム制御部１０７は通信IF１１９aを介して非接触通信が行われた事を検出する。
【００３８】
なお、デジタルカメラ１０が非接触通信を行わない場合、システム制御部１０７は、通信IF１１９aへ非接触通信を停止するように通知を行ったり、EEPROM１１９ｂ内で保持する情報を消去したり、通信不可であると書き換えたりしても良い。
【００３９】
接続台数カウンタ１０７ａは無線LAN部１１８を介してデジタルカメラ１０と無線通信接続中の対向機の台数を取得するカウンタである。データ容量演算部１０７ｂは、外部メモリ１１１内の無線LAN通信で転送する対象となるデータの容量を演算して記憶する。転送レート取得部１０７ｃは、無線LAN通信の転送速度を取得する。
【００４０】
バッテリ残量検出部１２０とデータ容量演算部１０７ｂと転送レート取得部１０７ｃの取得した値より、接続台数決定部１０７ｄは、無線LAN通信で接続可能な対向機の台数を決定する。また、接続台数カウンタ１０７ａにより取得した接続中の台数から、接続台数決定部１０７ｄは、残りの接続可能台数の判定を行う。この結果を非接触無線部１１９へ通知し、デジタルカメラ１０と非接触通信を行う対向機へ通知しても良い。
【００４１】
なお、本実施形態では、接続台数カウンタ１０７ａ、データ容量演算部１０７ｂ、転送レート取得部１０７ｃ、接続台数決定部１０７ｄは、システム制御部１０７の内部の処理として説明したが、ソフトウェア処理で実現しても良いし、ハードウェアで実現しても良い。
【００４２】
次に、デジタルカメラ１０と対向機の非接触通信を行う際の動作について、図１（Ａ）のブロック図を用いて説明する。
【００４３】
デジタルカメラ１０の非接触無線部１１９を対向機の非接触無線部にかざした際に、非接触無線部１１９は、デジタルカメラ１０の無線LAN部１１８へ接続するための通信設定データを対向機の非接触無線部へ送信する。
【００４４】
通信設定データは、無線LAN部１１８を介してデジタルカメラ１０と対向機が接続するために必要な情報である。
【００４５】
デジタルカメラ１０が無線LAN通信のアクセスポイントとなって、対向機とインフラストラクチャ接続を行う場合には、ネットワーク識別子としてのESSID(Extended Service Set IDentifier）、暗号鍵としてのパスワード、などのデータを含む。
【００４６】
非接触無線部１１９は、対向機と非接触通信が行われた場合に、非接触通信が行われた事をシステム制御部１０７へ通知し、無線LAN部１１８の動作が非動作中であれば動作を開始し、対向機と無線接続を開始できるようにする。なお、ユーザからの操作部１１６の操作に応じて、無線LAN部１１８の動作を開始していても良い。
【００４７】
対向機は、受信した通信設定データに基づいて、デジタルカメラ１０との無線LAN通信の認証を開始し、認証が成立した場合に、デジタルカメラ１０と対向機の通信が確立する。通信確立後、デジタルカメラ１０と対向機は無線LAN通信により、データの送受信を行う事が可能となる。
【００４８】
例えば、対向機からの要求に応じて、対向機へ外部メモリ１１１に格納されているデータの一覧やサムネイル画像を送信し、個々のデータについて、対向機からデータ送信要求を受信した後に、外部メモリ１１１から読み出して対向機へ送信する。
【００４９】
デジタルカメラ１０と対向機の一連の通信が完了した後に、どちらか一方は通信を終了する通知を送信し、デジタルカメラ１０と対向機の双方は確立していた無線LAN通信を停止する。
【００５０】
デジタルカメラ１０は、無線LAN通信での接続が全て切断された場合に、無線LAN部１１８の動作を停止しても良い。
【００５１】
なお、ユーザ指示に基づいて無線LAN部１１８の動作を停止するか否かを決定しても良く、例えば、表示部１０９へ無線LAN部１１８の動作停止をするか否か選択する通知を行い、操作部１１６からの入力に応じて動作を決定しても良い。
【００５２】
デジタルカメラ１０の非接触無線部１１９からの非接触通信によって無線LAN部１１８の通信設定データを対向機へ伝達を行うが、バッテリ１１３の残量、外部メモリ１１１内のデータ量、無線LAN部１１８の転送レートに従って非接触通信の制限を行う。
【００５３】
図２は本実施形態によるデジタルカメラ１０の状態に応じて無線LAN部１１８の接続台数を制限するためのテーブルデータの一例を示す表である。図２（A）はバッテリ残量検出部１２０で検出したバッテリ１１３の残量による接続台数補正係数C1を示す表である。図２（B）は外部メモリ１１１に保存されている通信対象となるデータ量による接続台数補正係数C2を示す表である。図２（C）は無線LAN部１１８の転送レートによる接続台数補正係数C3を示す表である。図２（D）はUSBインターフェース部１１２を介して外部の機器からデジタルカメラ１０に電源供給されている場合の接続台数補正係数C4を示す表である。
【００５４】
図２（A）、（B）、（C）、（D）の補正係数に従って、接続台数を制限するように、接続可能台数を決定する。
【００５５】
バッテリ１１３の残量が少ないときは、バッテリ１１３の消費を低減するため、無線LAN部１１８の動作時間を短縮したいため、接続台数を少なくする。また、外部メモリ１１１に保存されている撮影画像データの量が多い場合、無線LAN部１１８を介して多くのデータを転送する可能性があり、その転送に時間を要するため、接続台数を少なくする。転送レートが不十分の場合にも同様に、撮影画像データの転送に時間を要するため、接続台数を少なくする。
【００５６】
バッテリ残量Brは、バッテリ１１３の残量をバッテリ残量検出部１２０が検出した結果に基づいて決定され、決定されたバッテリ残量からシステム制御部１０７は、図２（A）のテーブルから接続台数補正係数C1を決定する。
【００５７】
データ容量演算部１０７ｂは、外部メモリ１１１に記録されている通信対象のデータ量をカウントし、同様に図２（B）のテーブルから接続台数補正係数C2を決定する。例えば、外部メモリ１１１内の所定のディレクトリ内に記録されている画像データのファイルサイズをカウントし、図２（B）の表を参照して決定する。
【００５８】
転送レート取得部１０７ｃは、無線LAN部１１８の転送レートを取得し、同様に図２（C）のテーブルから接続台数補正係数C3を決定する。例えば、IEEE802.11gの無線LANでの通信を行っている場合、転送レートは最大54Mbpsであり、最大の転送レートに対して、現在の転送レートが24Mbpsであれば、44.4％のため、接続台数補正係数C3は+2となる。
【００５９】
また、デジタルカメラ１０の無線LAN部１１８と対向機との転送レートは、無線LAN通信の実効速度、外部メモリ１１１からデータを読み込む速度などの内部処理による遅延なども含めて転送レート取得部１０７ｃが取得して決定しても良い。なお、無線LAN部１１８の転送レートは、外乱電波、他の機器による同周波数帯での無線LAN通信による電波干渉などの外的環境の影響を受ける事がある。このため、特定の環境、特定の機器と無線LAN通信を行った際の単位時間あたりの転送量と、現在の無線LAN通信の単位時間あたりの転送量を比較する事で転送レートを相対的に決定しても良い。
【００６０】
USBインターフェース部１１２を介して、デジタルカメラ１０へ電源供給が行われているか否かを判定し、図２（D）のテーブルから接続台数補正係数C4を決定する。バッテリ１０６の残量が減少していても、USBインターフェース部１１２からの電源供給でデジタルカメラ１０が動作していれば、接続台数を増やしても良い。しかしながら、USBインターフェース部１１２からの電源供給が失われた場合に、バッテリ１０６をデジタルカメラ１０の電源として動作するため、バッテリ１０６の残量とは別に接続台数補正係数を持つ事が好ましい。
【００６１】
前述の接続台数補正係数C1、C2、C3、C4から接続可能台数CNは、一例として、以下の式１により決定する。
【数１】
2017069880.tif 000003
【００６２】
例えば、バッテリ１１３の残量が約５０％、外部メモリ１１１に記録されている撮影画像データのファイルサイズが約５０MB、転送レートが約５０％のとき、図２（A）〜（C）のテーブルと式１より、接続可能台数CNは４台と決定される。
【００６３】
他の例として、バッテリ１１３の残量が約１０％、外部メモリ１１１に記録されている撮影画像データのデータ量が約１００MB、転送レートが約１０％のとき、図２（A）〜（C）のテーブルと式１より、接続可能台数CNは０台と決定される。
【００６４】
無線LAN通信での現在の接続台数が接続可能台数CNと同数となった場合と、接続可能台数CNは０台となっている場合には、接続台数を増加させる必要がないため、非接触無線部１１９は通信設定データを対向機へ伝達しないようにする。例えば、システム制御部１０７から非接触無線部１１９の不揮発メモリに記録されている通信設定データを削除する。なお、通信設定データの削除に加えて、無線LAN通信の接続台数が上限に達している事を示す情報を不揮発メモリに書き込み、対向機側で、ユーザに対して通知を行うようにしても良い。この事で、非接触無線部１１９から無線LAN通信の通信設定データを伝達する事を制限し、システム制御部１０７が決定した接続可能台数に到達した場合に、対向機と無線LAN通信による接続を行う事がないように制御可能である。
【００６５】
なお、現在の接続台数は無線LAN通信の認証が完了した段階でカウントする事が好ましく、カウント後に接続可能台数に到達した事を検出し、非接触無線部１１９は通信設定データを対向機へ伝達しないようにすれば良い。また、デジタルカメラ１０が対向機からのデータを受信した場合や、撮影による画像の取得により、外部メモリ１１１に記録されているデータ量が増加して、図２（B）のテーブル参照先が変化した場合に、接続可能台数を更新しても良い。同様に、バッテリ１１３の残量の変化、転送レートの変化を逐次モニタリングする事で、デジタルカメラ１０自体や、周辺環境の変化によって無線LAN通信中に、バッテリ１１３の残量が不足する事で発生する通信の途絶を低減する事が可能である。なお、本実施形態では、接続可能台数CNを図２に示すテーブルデータから決定したが、デジタルカメラ１０の操作部１１６を操作してユーザが任意の接続可能台数に決定しても良い。
【００６６】
図３は上述のように構成されたデジタルカメラ１０の無線LAN部１１８が停止状態の場合に、非接触無線部を介して対向機と無線LAN通信部に接続する場合の制御処理の一例のフローチャートを示す図である。図３（Ａ）は中距離無線部が停止状態から対向機と無線LAN通信に接続するまでの制御を示す。図３（Ｂ）は1台以上の対向機と無線LAN通信を行っている間の制御を示す。図３（Ｃ）は無線LAN通信での接続台数などの変化、および無線LAN部１１８を停止する際の制御を示す。
【００６７】
図３（Ａ）において、ユーザがデジタルカメラ１０を操作する事で、動作を開始して、無線LAN通信で接続可能な機器の台数を、図２のテーブルデータに基づいて演算する(Ｓ３０１)。なお、USBインターフェース部１１２を介してデジタルカメラ１０に外部機器から電力を供給されている場合には、安定した電源状態にあるため、接続台数の演算条件を変えても良い。
【００６８】
Ｓ３０１で演算した無線LAN通信で接続可能な台数が1台以上か否かを判定する(Ｓ３０２)。
【００６９】
Ｓ３０１で演算した無線LAN通信で接続可能な台数が1台未満であれば、非接触無線部１１９を無効状態に維持し、デジタルカメラ１０は待機状態に戻る（Ｓ３０３）。また、Ｓ３１４において、非接触無線部１１９が有効な状態であれば、無効な状態となるようにシステム制御部１０７から非接触無線部１１９へ指示を行う。
【００７０】
Ｓ３０１で演算した無線LAN通信で接続可能な台数が1台以上であれば、非接触無線部１１９を有効な状態にあるか判定を行う（Ｓ３０４）。非接触無線部１１９が無効な状態にあれば、非接触無線部１１９を有効な状態に更新する（Ｓ３０５）。例えば、システム制御部１０７から、通信設定データを保持するように非接触無線部１１９を制御する。なお、この時の通信設定データはメモリ１０８に保存されている以前に使用したことのある通信設定データでも良いし、新たにシステム制御部１０７が発行しても良い。
【００７１】
非接触無線部１１９が有効な状態になれば、非接触通信が行われるまで待機し（Ｓ３０６）、対向機から非接触通信が行われた場合に、無線LAN部１１８が動作状態にあるか判定を行う（Ｓ３０７）。無線LAN部１１８が、動作状態になければ、無線LAN部１１８の動作を開始するように指示し（Ｓ３０８）、対向機と無線LAN通信の接続処理を行う（Ｓ３０９）。無線LAN通信の接続が確立できたか否かを判定し（Ｓ３１０）、確立できていない場合には、接続に失敗した事を通知し（Ｓ３１１）、Ｓ３０６の非接触通信を待つ待機状態に戻り、接続を確立できた場合には、接続台数をカウントアップする（Ｓ３１２）。その後、現在の接続台数と、接続可能台数を演算し、接続可能台数を求め（Ｓ３１３）、接続台数が上限に達しているか否かを判定する（Ｓ３１４）。接続台数が上限に達していない場合には、Bへ進み、上限に達している場合は、非接触無線部１１９を無効な状態にしてから（Ｓ３１５）、Bへ進む。
【００７２】
図３（Ｂ）において、デジタルカメラ１０と対向機間の無線LAN通信が行われている間の制御について説明する。
【００７３】
デジタルカメラ１０と対向機間の無線LAN通信が行われている間、対向機からのリクエストに応じた無線LAN通信がなされると並行して、バッテリ１１３の状態、無線LAN通信の接続状態や接続されている台数を含む状態変化を監視する（Ｓ３１６）。
【００７４】
バッテリ１１３の状態、無線LAN通信の接続状態や接続されている台数の状態変化が所定の範囲内にあるか否か判定する（Ｓ３１７）。例えば、図２のテーブルデータに基づき、バッテリ残量が４３％から３８％まで変化した場合に、補正量の参照先が変わる事から、この様な場合に、所定以上の変化があったと判定する。
【００７５】
Ｓ３１７において、状態変化が所定の範囲内にあると判定した場合、非接触無線部１１９が有効な状態にあるか否かを判定し（Ｓ３１８）、有効な状態であれば、非接触通信が行われたか否かを判定する（Ｓ３１９）。Ｓ３１８において、非接触無線部１１９が無効となっている場合、あるいは、Ｓ３１９において、非接触通信が行われなかった場合には、Ｓ３１６に戻り、同様の制御を繰り返す。
【００７６】
また、ステップＳ３１７において、状態の変化が所定以上と判定された場合、Cへ進む。また、Ｓ３１９において、非接触通信が行われた事をシステム制御部１０７が検出した場合には、図３（Ａ）に示すDへ進み、Ｓ３０９以降の無線LAN通信の接続を行う。また、Ｓ３１６の状態変化の監視や、Ｓ３１７の状態変化の判定は、システム制御部１０７が一定周期でポーリングしても良く、バッテリ残量検出部１２０が割り込み信号を発生し、割り込み信号に応答してシステム制御部１０７が処理しても良い。
【００７７】
図３（Ｃ）において、デジタルカメラ１０と対向機間の無線LAN通信が行われている間にＳ３１７で、所定以上の状態変化を検出した場合の制御について説明する。
【００７８】
デジタルカメラ１０と対向機間の無線LAN通信が行われている間に、所定以上の状態変化を検出した場合、無線LAN通信に接続された接続台数を再検出し（Ｓ３２０）、Ｓ３１６で取得している状態に基づいて、接続可能台数を再演算する（Ｓ３２１）。接続可能台数が上限に達しているか否かを判定し（Ｓ３２２）、上限に達していると判定した場合には、非接触無線部１１９を無効に設定し（Ｓ３２３）、図３（Ｂ）に示すBへ進む。
【００７９】
Ｓ３２２において、接続可能台数が上限未満の場合、非接触無線部１１９を有効な状態に維持し（Ｓ３２４）、無線LAN通信の接続台数が0台か否か判定を行い（Ｓ３２５）、0台でなければ、図３（Ｂ）に示すBへ進む。Ｓ３２５において、0台であれば、無線LAN部１１８の動作を停止するか否かを決定する（Ｓ３２７）。例えば、表示部１０９によりユーザに通知を行って、操作を促したり、バッテリ１１３の残量が２０％未満であれば、節電のために停止したり、一定時間操作がなければ停止するなど、状態に応じて決定すれば良い。Ｓ３２７で、無線LAN部１１８を停止しないと決定した場合、図３（Ｂ）に示すBへ進み、停止すると決定した場合には、無線LAN部１１８を停止するようシステム制御部１０７が指示を行う（Ｓ３２８）。Ｓ３２８において、無線LAN部１１８を停止した後に、非接触無線部１１９の保持する通信設定データを更新する（Ｓ３２９）。
【００８０】
以上の図３（Ａ）、（Ｂ）、（Ｃ）に例示したフローチャートに従って制御を行う事でデジタルカメラ１０の無線LAN部１１８が停止状態の場合に、非接触無線部を介して対向機と無線LAN部１１８の接続から切断までの制御を行う事ができる。
【００８１】
以上、本発明の実施の形態のデジタルカメラにおいては、電池残量に応じて安定した状態にあるときに無線LAN通信を行えるようにでき、許容可能な台数内で動作し、安定した状態で無線LAN通信を行事が可能な可能である。これにより、無線LAN通信を行っている最中に、電池残量が不足してしまい、無線LAN通信が途絶する事を低減する、電子装置を提供することが可能となる。
【００８２】
以上、本発明の好ましい実施形態について説明したが、本発明はこれらの実施形態に限定されず、その要旨の範囲内で種々の変形及び変更が可能である。
【符号の説明】
【００８３】
１０  デジタルカメラ、１０１  撮影レンズ、１０２  シャッター、１０３  撮像部、
１０４  画像処理部、１０５  タイミング信号発生部、１０６  撮像光学系駆動部、
１０７  システム制御部、１０８  メモリ、１０９  表示部、
１１０  外部メモリ制御部、１１１  外部メモリ、１１２  USBインターフェース部、
１１３  バッテリ、１１４  電源制御部、１１５  レリーズボタン、１１６  操作部、
１１７  電源スイッチ、１１８  無線LAN通信部、１１９  非接触無線部、
１２０  バッテリ残量検出部
【図１（Ａ）】
2017069880.tif 000004
【図１（Ｂ）】
2017069880.tif 000005
【図２】
2017069880.tif 000006
【図３】
2017069880.tif 000007